(57)【特許請求の範囲】
【請求項１】
中空の芯材に記録媒体が巻き付けられたロール紙を装置本体に供給するロール紙供給装置において、
前記ロール紙の両側から前記芯材内に、前記ロール紙に対して空回りしないように装着する挿入部材と、
前記挿入部材を装着した前記ロール紙の両端を支持する支持部材と、
前記支持部材が設けられた収納部材とを有し、
前記収納部材は、前記ロール紙を載置する載置部と、支持された前記ロール紙を前記装置本体に搬送させる搬送部と、前記収納部材の両側から前記収納部材の内部に前記挿入部材を通すことが可能な空間を形成する切欠部とからなり、
前記搬送部は、前記ロール紙を所定の長さにカットする切断手段と、前記ロール紙の先端を前記装置側に送出す搬送ローラとを備えるとともに、前記ロール紙供給装置を装置本体から引き出した時に、常に、前記ロール紙供給装置が格納される空間に、ジャム処理される前記シートの先端が残るように、前記収納部材の引出し側に配置され、
前記装置本体にロール紙を供給しているときに、ジャムが発生した場合、前記収納部材を引き出す前にジャム処理される前記ロール紙をカットして、前記装置本体に前記収納部材が格納される空間に、カットされた該ジャム処理される前記ロール紙の先端を残し、前記収納部材を引き出した後に、この先端を引き出すことによってジャム処理を行うことを特徴とするロール紙供給装置。
【請求項２】
前記挿入部材には、ロール紙の芯材内に挿入する挿入部と、周面に歯が形成され、ロール紙の軸線方向の端面に当接するフランジとが設けられ、
前記支持部材には、周面が前記フランジの一部を受けるように形成された保持部が設けられ、
前記支持部材には、前記フランジの歯と噛み合う保持ローラが設けられていることを特徴とする請求項１記載のロール紙供給装置。
【請求項３】
前記支持部材は、支持する前記ロール紙の所定の幅に設定可能なように、前記ロール紙の軸線方向に移動させる構成が設けられたことを特徴とする請求項１、２記載のロール紙供給装置。
【発明の詳細な説明】
【技術分野】
【０００１】
本発明は、複写機、プリンタ等の画像形成装置に用いるロール紙を供給するためのロール紙供給装置に関する。
【背景技術】
【０００２】
ロール紙供給装置において、ロール紙を支持する構成として、スプールを用いた構成がある。（特許文献１）しかし、この構成は、ロール紙を装着するときに、一旦、平らなところにロール紙を置き、ロール紙をスプールに通す必要がある。
【０００３】
このため、ロール紙を支持する作業スペースは、ロール紙給紙装置の幅分とセットするロール紙の幅分のスペースが必要となり、装置の載置スペースが広くなる問題がある。特に、ロール紙がＡ０を適用する場合は、先に述べた作業スペースの確保の他に、スプールがセットされた重いロール紙を装置内にセットする必要がある。
【０００４】
このような問題を解消するために、ロール紙の両端側か/らフランジ部材を装着し、ロール紙を支持する構成がある。（特許文献２〜４）
【０００５】
【特許文献１】特開平１０−１９８０９７号公報
【特許文献２】特開２００２−３５６２５３号公報
【特許文献３】特開２０００−２８９８９５号公報
【特許文献４】実公昭５６−４２２８８号公報
【発明の開示】
【発明が解決しようとする課題】
【０００６】
これら特許文献２〜４の構成は、幅の狭いロール紙は装置外に引出されたカセット内で、フランジ部をロール紙に装着しロール紙を支持する作業はできる。しかし、最大幅のロール紙をセッティングする場合は、特許文献２では、段落番号００２５の記載、図４の図示のように、ロール紙を支持する機構が、一対の側面板３７、３８により囲まれているため、上方からフランジ部材をロール紙に装着する必要がある。
【０００７】
また、特許文献３においても、段落番号００１２の記載、図２の図示のように、所定のロール紙の幅に合わせた受台に、ロール紙に装着されたフランジ部材をセットするため、特許文献２と同じように、上方からフランジ部材をロール紙に装着する必要がある。
【０００８】
さらに、特許文献４では、フランジ部材の幅がロール紙を支持する部分（第２図の鍔部１０）と、ロール紙の芯内に装着する部分とを持つ構成のため、カセット内でロール紙の両端にフランジ部材を装着する作業を行うことできない。
【０００９】
さらに、特許文献２の段落番号００１７〜００１８の記載、図１の図示のように、ロール紙が引出される部位から切断機構７から導入点（Ａ、Ｂ）までの距離が長いため、ジャムが発した直後に、ロール紙を切断機構７により切断し、切断したロール紙をロール紙収容機構側に巻き戻す時に、時間がかかるという問題を有する。
【課題を解決するための手段】
【００１０】
上記問題を解決するために、本発明は、ロール紙の両側から芯材内に、ロール紙に対して空回りしないように装着する挿入部材と、挿入部材を装着したロール紙の両端を支持する支持部材と、支持部材が設けられた収納部材とを有し、収納部材は、ロール紙を載置する載置部と、支持されたロール紙を装置本体に搬送させる搬送部と、収納部材の両側から収納部材の内部に挿入部材を通すことが可能な空間を形成する切欠部とからなり、搬送部は、収納部材の引出し側に配置されるとともに、ロール紙を所定の長さにカットする切断手段を備え、装置本体にロール紙を供給しているときに、ジャムが発生した場合、収納部材を引き出す前にロール紙をカットして、装置本体に収納部材が格納された空間に、カットされたロール紙の先端を残し、前記収納部材を引き出した後に、この先端を引き出すことによってジャム処理を行うことを特徴とする。
【００１１】
また、請求項２記載の発明は、挿入部材には、ロール紙の芯材内に挿入する挿入部と、周面に歯が形成され、ロール紙の軸線方向の端面に当接するフランジとが設けられ、支持部材には、周面がフランジの一部を受けるように形成された保持部が設けられ、支持部材には、フランジの歯と噛み合う保持ローラが設けられていることを特徴とする。
【００１２】
請求項３記載の発明は、支持部材は、支持するロール紙の所定の幅に設定可能なように、ロール紙の軸線方向に移動させる構成が設けられたことを特徴とする。
【発明の効果】
【００１３】
上記構成により、本発明によれば、収納部材の両側から挿入部材を通すのみで、ロール紙の芯材内に装着することがきる。また、ジャム処理の短縮を図ることができる。
【発明を実施するための最良の形態】
【００１４】
本発明の好適な実施の形態を図面に基づいて説明する。図１に、本発明のロール紙供給装置を備えた画像形成装置（以下、「装置本体Ｃ」とよぶ）の概略図を示す。なお、以下に述べる装置本体Ｃの構成は、この実施態様で開示されたものに限定されるものではない。
【００１５】
図１に示すように装置本体Ｃは、画像形成部Ａと定着部Ｂとからなる。画像形成部Ａは、潜像担持体Ａ１０である有機系、セレン系またはアモルファスシリコン系等で形成された感光ドラムＡ１０を有し、この感光ドラムＡ１０を中心に感光ドラムＡ１０の表面を均一に帯電させる帯電装置Ａ２０と、画像データに応じた光照射を感光ドラムＡ１０表面に行って静電潜像を形成するLEDアレイ等で構成された露光装置Ａ３０と、静電潜像をトナーによって現像する現像装置Ａ４０と、搬送されてくるシート材にトナー像を転写する転写装置Ａ５０と、感光ドラムＡ１０表面に残留したトナーを除去するクリーニング装置Ａ６０と、感光ドラムＡ１０表面に残留した電荷を除電するイレーサランプ（図示せず）と、が配置される。
【００１６】
さらに、現像装置Ａ４０は、現像ローラＡ４１と供給ローラＡ４２と搬送手段と層厚規制ローラＡ４３とからなる。現像ローラＡ４１は、感光ドラムＡ１０上に形成された静電潜像を現像するものであり、現像ローラＡ４１は感光ドラムＡ１０に対して近接または接触して設けられている。
【００１７】
供給ローラＡ４２は現像ローラＡ４１にトナーを供給するものである。搬送手段は、供給装置から供給された現像剤を攪拌してトナー内に一定の帯電量を付与させるとともに供給ローラＡ４２側にトナーを搬送するものである。層厚規制ローラＡ４３は、現像ローラＡ４１の表面に所定の厚みのトナー層を形成するものである。
【００１８】
定着部Ｂは、先に述べた画像形成部Ａを経て、後に述べるロール紙供給装置から供給されたロール紙Ｒ（または、所定の長さにカットされたロール紙）に転写したトナー像を固着するものである。定着工程を終えたロール紙Ｒは装置外部に排出される。
【００１９】
次に、本発明のロール紙供給装置を説明する。ロール紙供給装置は装置本体Ｃから引出構造となっている。図２、３に本発明のロール紙供給装置の概略図を示す。
【００２０】
ロール供給装置は、ロール紙Ｒの両側から芯材内Ｒ１０に装着する挿入部材１００と、ロール紙Ｒを支持する支持部材２００と、内部にロール紙Ｒを収納し、ロール紙Ｒを矢印方向（ロール紙Ｒの軸線に対し垂直方向）装置外に引出し可能な収納部材３００とからなる。
【００２１】
図４に示すように、挿入部材１００は、ロール紙Ｒの芯材内Ｒ１０に挿入する挿入部１１０と、ロール紙Ｒの端面に当接するフランジ１２０とからなる。
【００２２】
挿入部１１０の周面には一部が挿入部１１０から突出した係止部１１１が設けられている。係止部１１１は挿入部１１０の中心に対して等角に三つ以上配置されている。係止部１１１は、挿入部１１０内に設けられたばね等からなる付勢手段（図示せず）により、常に上方（ロール紙Ｒの芯材内Ｒ１０壁面）に付勢されている。
【００２３】
この構成により、挿入部材１００をロール紙Ｒに装着する時に、ロール紙Ｒの芯材の径の寸法に多少のばらつきがあっても、図示しない付勢手段の撓みにより、ロール紙Ｒの芯材の径の誤差を吸収して、ロール紙Ｒに対して空回りしないようにすることができる。
【００２４】
フランジ１２０は、周面に歯が設けられギア１２１として形成されている。また、フランジ１２０の挿入部１１０側の反対側には取付部１２２が設けられている。取付部１２２は、挿入部材１００が装着されたロール紙Ｒを所定の取付位置で後に述べる支持部材２００に支持するものであり、ロール紙Ｒの軸心に配置されている。
【００２５】
支持部材２００は、挿入部材１００を装着したロール紙Ｒを支持するものであり、一対の部材からなる。これら部材は、ロール紙Ｒの幅方向（ロール紙Ｒの軸線方向）に移動可能な機構の一部に取り付けられている。
【００２６】
支持部材２００は、挿入部材１００のフランジ１２０の周面部の一部を受ける保持部２１０と、挿入部材１００のフランジ１２０の取付部１２２をとりける受部２２０とからなる。
【００２７】
保持部２１０は、挿入部材１００のフランジ１２０の周面の一部が載置するように、外周面を円弧状の形状をなしている。保持部２１０の幅Ｌは、フランジ１２０の幅と略同じ長さを持つ。これにより、挿入部材１００を装着したロール紙Ｒを支持部材２００に装填したときに、ロール紙Ｒの端面が保持部２１０の端面に当接した状態となり、ロール紙Ｒの両方の端面を揃えることができる。
【００２８】
さらに、保持部２１０にはフランジ１２０の歯と噛み合う保持ローラ５００が設けられている。保持ローラ５００は、保持部２１０内に設けられた歯車群G（Ｇ１、Ｇ２）に組み込まれている。歯車群Gの一つＧ１は、ロール紙Ｒの巻き戻しを行う駆動源（図示せず）に連結されている。歯車群Gの一つＧ２は、ロール紙Ｒを装置本体Ｃに送り出すときは空回りさせて、その回転を駆動源（図示していない）に伝達されないように、ワンウェイクラッチの構成となっている。
【００２９】
受部２２０は、薄板状の部材を断面略凹状に折り曲げたものであり、保持部２１０の外側に設けられている。保持部２１０に設けられている側は、フランジ１２０の取付部１２２を取り付けるための取付孔２２１が設けられている。さらに、反対側はガイド部２２２が形成されている。ガイド部２２２は、フランジ１２０の取付部１２２が導入しやすいように、外方に向かって開いている。
【００３０】
収納部材３００は、装置本体Ｃにロール紙Ｒを供給するものである。収納部材３００は、引出機構７００により、ロール紙Ｒを矢印方向（ロール紙Ｒの軸線に対し垂直方向）装置外に引き出しできるようになっている。
【００３１】
引出機構７００は、第１レール７１０と第２レール７２０と中間レール７３０との三重構造のスライドレールである。各レールは薄板状の第１レール７１０は収納部材３００の両側に取り付けられている。第２レール７２０は装置本体Ｃ内に取り付けられている。中間レール７３０は、第１レール７１０と第２レール７２０とに連結され、各レールが自由にスライドし、スライドレールの長さ（収納部材３００の引出量）が変化できるようになっている。
【００３２】
さらに、収納部材３００は設置部３１０と搬送部３２０とから構成される。ロール紙Ｒのセット（ロール紙Ｒの載置、ロール紙Ｒの挿入部材１００の装着）を行う設置部３１０と、セットしたロール紙Ｒを装置本体Ｃに搬送する搬送手段が設けられた搬送部３２０と、挿入部材１００をロール紙Ｒの挿入させるための切欠部４００とからなる。
【００３３】
設置部３１０は、装置本体Ｃ内に供給する最大幅のロール紙Ｒが載置できるスペースを有する。さらに、設置部３１０には、支持部材２００をロール紙Ｒの幅方向（ロール紙Ｒの軸線方向）に移動可能な機構（以下、「幅可変機構６００」とよぶ）が設けられている。
【００３４】
幅可変機構６００は、一対のラックギア６１０とピニオンギア６２０とからなる。ピニオンギア６２０は設置部３１０に軸支されている。一対のラックギア６１０は、ピニオンギア６２０と噛み合い、互いに反対方向に移動するように配置されている。各ラックギア６１０の一端側（収納部材３００の引き出し方向からみて外側）に、保持部２１０が取り付けられている。
【００３５】
搬送部３２０は、装置本体Ｃにロール紙Ｒを搬送するものであり、ロール紙Ｒの先端を装置本体Ｃに送り出す搬送ローラ３２１と、ロール紙Ｒを所定の長さにカットする切断手段３２２とを備える。
【００３６】
切欠部４００は、ロール紙Ｒの両側から挿入部材１００を装着させるための空間Ｓ１を形成するためのものであり、載置部部位の収納部材３００の外周縁に設けられている。切欠部４００は、装置本体Ｃから引出されたロール供給装置の外側から、ロール紙Ｒの軸線方向に沿って、挿入部材１００をロール紙Ｒに装着できるように、挿入部材１００のフランジ１２０が通る形状（フランジ１２０の径よりも少し大きい）をなしている。
【００３７】
以上の構成のもと、ロール紙の交換、またはロール紙を補給するときは、装置本体Ｃからロール供給装置を矢印方向に引出し、ロール紙を交換する場合には収納部材３００にあるロール紙Ｒを取り外す。
【００３８】
次に、ロール供給装置に装填するロール紙Ｒを収納部材３００上に置き、ロール紙Ｒの両側から挿入部材１００を装着する。このとき、挿入部材１００のフランジ１２０がロール紙Ｒの径より小さく、さらに、切欠部４００が挿入部材１００のフランジ１２０の径より大きいことにより、ロール紙Ｒを載置部に置いた状態で、ロール紙Ｒの両側から装着することができる。さらに、図５に示すように、ロール紙Ｒの径より大きい径の挿入部材１００を装着する時のように、ロール紙の一方を傾ける（ロール紙を持ち上げる）作業をなくすことができる。
【００３９】
この後、保持部２１０をロール紙Ｒの軸線方向にスライドさせて装填するロール紙Ｒの幅に合わせ、フランジ１２０の取付部１２２を取付孔２２１に嵌め込み、ロール供給装置を装置本体Ｃに引き入れることにより、ロール紙の装填が完了する。なお、ロール紙Ｒの幅に合わせるための保持部２１０の調整は、挿入部材１００をロール紙Ｒに装着した後に行っているが、この前に、行っても良い。
【００４０】
さらに、装置本体Ｃにロール紙Ｒを供給しているときに、ジャムが発生した場合には、ロール紙供給装置が装置本体Ｃから引出される前に、切断手段３２２によりロール紙Ｒがカットされる。これにより、ロール紙供給装置を装置本体Ｃから引出した時に、ジャム処理されるロール紙Ｒの先端が、常に、ロール紙供給装置が格納される空間S２に残る。
【００４１】
この結果、ジャム処理は、空間Ｓ２内にある切断されたロール紙Ｒの先端を引出すことにより、容易に行うことができる。ジャム処理を行い装置本体Ｃに引き入れた後、駆動源の駆動力が歯車群G、保持ローラ５００、フランジ１２０の歯の順に、伝達されて、挿入部材１００が回転して、ロール紙Ｒが巻き戻される。このように、ジャム処理の時間を短縮することができる。
【図面の簡単な説明】
【００４２】
【図１】本発明のロール紙供給装置が装置本体から引出された図。
【図２】本発明のロール紙供給装置の概略図
【図３】矢視Ａの要部拡大図。
【図４】挿入部材の詳細を示す図。
【図５】ロール紙の径より大きい径の挿入部材を装着する図。
【符号の説明】
【００４３】
１００  挿入部材  
１１０  挿入部
１２０  フランジ
２００  支持部材
２１０  保持部
３００  収納部材
３２０  搬送部
４００  切欠部
５００  保持ローラ
６００  幅可変機構
C      装置本体
Ｒ      ロール紙
Ｒ１０  ロール紙の芯材内
Ｓ１    空間
【図１】
0005279064.tif 000002
【図２】
0005279064.tif 000003
【図３】
0005279064.tif 000004
【図４】
0005279064.tif 000005
【図５】
0005279064.tif 000006